(57)【要約】【課題】  表示部によりディスクの誤挿入を防止することができる表示装置を提供すること。【解決手段】  表示部１１０と、前面に複数のディスク挿入口１０６ａ，１０７ａを有する本体１２０と、本体１２０の前面に対する表示部１１０の角度を変化させる表示部駆動装置１１２と、本体１２０に設けられ、表示部駆動装置１１２の動作を制御する制御回路１０８とを備える車両用ナビゲーション装置１００において、表示部駆動装置１１２の動作を制御回路１０８により制御し、本体１２０の前面に対する表示部１１０の角度状態を、ディスク挿入口１０６ａ，１０７ａが全て遮蔽される閉状態と、ディスク挿入口１０６ａ，１０７ａが全てディスク挿入可能状態となる開状態との間で、複数のディスク挿入口１０６ａ，１０７ａが段階的にディスク挿入可能状態となるように変化可能な構成とした。従って、ディスクの誤挿入を防止することができる。【選択図】        図４
2005259234.tif 000002
【特許請求の範囲】
【請求項１】
前面に、複数のディスク挿入口が設けられた本体と、
前記本体の前面に対して平行に配置され、前記複数のディスク挿入口が全て遮蔽された閉状態と、前記本体の前面に対して所定角度をなし、前記複数のディスク挿入口が全てディスク挿入可能状態となった開状態との間で、前記本体の前面に対する角度が変化可能に前記本体に取り付けられた表示部と、
前記本体に対する前記表示部の角度を所定角度に変化させるチルト機構と、
前記複数のディスク挿入口が段階的にディスク挿入可能状態となるように、前記チルト機構の動作を制御する制御部と、を備えることを特徴とする表示装置。
【請求項２】
前記複数のディスク挿入口は、前記表示部を前記閉状態から前記開状態に変化させた際、ディスク交換頻度の高いディスク挿入口からディスク挿入可能状態となるように、前記本体の前面に順に設けられていることを特徴とする請求項１に記載の表示装置。
【請求項３】
前記複数のディスク挿入口のうち、ディスク交換頻度のもっとも高い前記ディスク挿入口のみがディスク挿入可能状態となるように、前記制御部は前記チルト機構の動作を制御し、前記表示部を前記本体の前面に対して所定角度に変化させることを特徴とする請求項２に記載の表示装置。
【請求項４】
前記複数のディスク挿入口は、地図ディスク挿入口と音楽ディスク挿入口から構成され、前記音楽ディスク挿入口をディスク交換頻度のもっとも高い前記ディスク挿入口としたことを特徴とする請求項３に記載の表示装置。
【請求項５】
前記表示装置は、車両に搭載されることを特徴とする請求項１〜４いずれか１項に記載の表示装置。
【発明の詳細な説明】
【技術分野】
【０００１】
本発明は、複数のディスク挿入口を備える表示装置に関するものである。
【背景技術】
【０００２】
従来、複数のディスク挿入口を備える表示装置として、車両用ナビゲーション装置が知られている。その一例として特許文献１が開示されている。
【０００３】
この車両用ナビゲーション装置は、表示部（モニタパネル）と、表示部の表示内容等を制御する本体（モニタ支持体）と、本体に対する表示部の角度を変えるチルト機構とを備えている。そして、本体の前面に複数のディスク挿入口が設けられている。
【０００４】
通常、表示部は本体前面に平行に配置され、表示部により複数のディスク挿入口が全て遮蔽された状態にある。それに対し、チルトボタンを押すと、表示部が本体正面に対して予め設定された所定角度（例えば垂直）となるようにチルト機構が動作される。これにより、ディスク挿入口が露出し、ディスク交換が可能な状態となる。
【特許文献１】特開２０００−３３８８８９号公報
【発明の開示】
【発明が解決しようとする課題】
【０００５】
しかしながら、上述の車両用ナビゲーション装置の場合、ディスク交換時に複数のディスク挿入口が全て露出するので、ディスクを異なるディスク挿入口に誤って挿入する恐れがある。
【０００６】
特に複数のディスク挿入口が、ＤＶＤ−ＲＯＭが挿入されるディスク挿入口と、ＣＤ−ＲＯＭが挿入されるディスク挿入口とから構成される場合には、両ディスクの外形が同じであるため、ディスクを異なるディスク挿入口に誤挿入しやすい。
【０００７】
本発明は上記問題点に鑑み、表示部によりディスクの誤挿入を防止することができる表示装置を提供することを目的とする。
【課題を解決するための手段】
【０００８】
上記目的を達成する為に、請求項１に記載の表示装置は、前面に、複数のディスク挿入口が設けられた本体と、本体の前面に対して平行に配置され、複数のディスク挿入口が全て遮蔽された閉状態と、本体の前面に対して所定角度をなし、複数のディスク挿入口が全てディスク挿入可能状態となった開状態との間で、本体の前面に対する角度が変化可能に前記本体に取り付けられた表示部と、本体に対する表示部の角度を所定角度に変化させるチルト機構と、複数のディスク挿入口が段階的にディスク挿入可能状態となるようにチルト機構の動作を制御する制御部と、を備えることを特徴とする。
【０００９】
このように、本発明の表示装置によると、制御部により本体に対する表示部の角度を所定角度に変化させるチルト機構の動作を制御し、複数のディスク挿入口を段階的にディスク挿入可能状態とすることができる。例えば本体の前面に２つのディスク挿入口が設けられている場合、表示部は、２つの挿入口をともに遮蔽した状態と、一方のディスク挿入口のみをディスク挿入可能とする状態と、２つのディスク挿入口をともにディスク挿入可能とする状態の３つの角度状態（本体前面に対する角度）をとることができる。従って、複数のディスク挿入口のうち、表示部によって一部のディスク挿入口のみをディスク挿入可能状態とすることができるので、ディスクの誤挿入を防止することができる。
【００１０】
尚、ディスク挿入口と記載しているが、ディスクの挿入だけでなく、排出も可能であることは言うまでもない。
【００１１】
請求項２に記載のように、複数のディスク挿入口は、表示部を閉状態から開状態に変化させた際、ディスク交換頻度の高いディスク挿入口からディスク挿入可能状態となるように、本体の前面に順に設けられていることが好ましい。
【００１２】
この場合、複数のディスク挿入口を、ディスク交換頻度の高いディスク挿入口から段階的にディスク挿入可能状態とすることができる。従って、ディスクの誤挿入防止に効果的である。
【００１３】
その際、請求項３に記載のように、複数のディスク挿入口のうち、ディスク交換頻度のもっとも高いディスク挿入口のみがディスク挿入可能状態となるように、制御部はチルト機構の動作を制御し、表示部を本体の前面に対して所定角度に変化させることが好ましい。
【００１４】
このように、ディスク交換頻度のもっとも高いディスク挿入口のみがディスク挿入可能状態となるように、表示部を本体の前面に対して所定角度に変化させることができると、ディスクの誤挿入防止により効果的である。
【００１５】
例えば請求項４に記載のように、複数のディスク挿入口が地図ディスク挿入口と音楽ディスク挿入口から構成される場合、一般的に地図ディスクよりも音楽ディスクの方がディスクの交換頻度が高いので、音楽ディスク挿入口をディスク交換頻度のもっとも高いディスク挿入口とすることで、ディスクの誤挿入を防止することができる。
【００１６】
尚、請求項１〜４いずれかに記載の表示装置は、車両に搭載される構成を備えているので、請求項５に記載のように車両に搭載されても良い。本発明の表示装置は車両用ナビゲーション装置として好適である。
【発明を実施するための最良の形態】
【００１７】
以下、本発明の実施の形態を図に基づいて説明する。尚、本実施形態においては、表示装置として車両用ナビゲーション装置を例にとり、以下に説明するものとする。
（第１の実施形態）
図１は、本実施形態における車両用ナビゲーション装置１００の概略構成を示すブロック図である。
【００１８】
図１に示すように、本実施形態の車両用ナビゲーション装置１００は、位置検出器１０１、地図データ入力器１０６、音楽データ入力器１０７、外部メモリ１０９、表示部１１０、音声出力部１１１、表示部駆動装置１１２、操作ＳＷ群１１３、及びこれらに接続された制御回路１０８を備えている。
【００１９】
制御回路１０８は通常のコンピュータとして構成されており、内部には周知のＣＰＵ、ＲＯＭ、ＲＡＭ、Ｉ／Ｏ及びこれらの構成を接続するためのバスラインが備えられている。ＲＯＭには、制御回路１０８が実行するためのプログラムが書き込まれており、このプログラムに従ってＣＰＵ等が所定の演算処理を実行する。尚、このプログラムは、外部メモリ１０９を介して外部から取得することも可能である。
【００２０】
位置検出器１０１は、いずれも周知の地磁気センサ１０２、ジャイロスコープ１０３、走行距離を算出するための車速センサ１０４、及び衛星からの電波に基づいて車両の位置を検出するＧＰＳ（Global Positioning System）のためのＧＰＳ受信機１０５を有している。これらは、各々が性質の異なる誤差を持っているため、複数のセンサにより互いに補完しながら使用するように構成されている。尚、各センサの精度によっては、位置検出器１０１を上述した内の一部で構成しても良い。さらには、ステアリングの回転センサ、各転動輪の車速センサ等、他のセンサを用いて構成されても良い。
【００２１】
地図データ入力器１０６は、道路地図を描画するための道路地図データ及び目印データを含む地図データを制御回路１０８に入力するための装置である。地図データを記憶する記憶媒体としては、そのデータ量からＤＶＤ−ＲＯＭを用いるのが一般的であるが、ＣＤ−ＲＯＭ等の書き込みが可能な記憶媒体（ディスク）を用いても良い。本実施形態においては、地図データを記憶する記憶媒体としてＤＶＤ−ＲＯＭを採用し、地図データ入力器１０６がＤＶＤドライバを備える構成とする。
【００２２】
音楽データ入力器１０７は、音楽データ（音声及び又は映像）を制御回路１０８に入力するための装置である。音楽データを記憶する記憶媒体としては、そのデータ量からＣＤ−ＲＯＭを用いるのが一般的であるが、ＤＶＤ−ＲＯＭ、等の書き込みが可能な記憶媒体（ディスク）を用いても良い。本実施形態においては、音楽データを記憶する記憶媒体としてＣＤ−ＲＯＭを採用し、音楽データ入力器１０７がＣＤドライバを備える構成とする。
【００２３】
表示部１１０は、例えば液晶ディスプレイによって構成され、表示部１１０の画面には、制御回路１０８の表示処理により、例えば位置検出器１０１から入力された車両の現在位置に対応する車両マークと、地図データ入力器１０６より入力された地図データによって生成される車両周辺の道路地図を表示したり、音楽データ入力器１０７より入力された映像データによって生成される映像を表示することができる。
【００２４】
音声出力部１１１は、スピーカやオーディオアンプ等から構成されるもので、例えば音楽データ入力器１０７より入力された音声データによって生成される音声を出力したり、目的地が設定され、その目的地に到達する案内経路が算出されている場合には、その案内経路に関する案内音声が出力される。
【００２５】
ここで、上述した位置検出器１０１、地図データ入力器１０６、音楽データ入力器１０７、制御回路１０８、外部メモリ１０９、及び音声出力部１１１は、図２（ａ），（ｂ）に示す表示部１１０を支持する本体１２０として一体に設けられており、当該本体１２０の前面には、それぞれのディスクが挿入・排出される複数のディスク挿入口（本実施形態においては、地図データ入力器１０６を構成するＤＶＤドライバのＤＶＤ挿入口１０６ａと、音楽データ入力器１０７を構成するＣＤドライバのＣＤ挿入口１０７ａ）が設けられている。尚、図２は、本実施形態の車両用ナビゲーション装置１００の概略構成を示す図であり、（ａ）は斜視図、（ｂ）は側面図である。尚、図２（ｂ）においては、便宜上、ディスク挿入口１０６ａ，１０７ａを図示している。
【００２６】
表示部駆動装置１１２は、本体１２０の前面に対して表示部１１０が平行に配置され、本体１２０の前面に設けられた複数のディスク挿入口１０６ａ，１０７ａが全て遮蔽された閉状態と、表示部１１０が本体１２０の前面に対して所定角度をなし、複数のディスク挿入口１０６ａ，１０７ａが全てディスク挿入可能状態となった開状態との間で、本体１２０の前面に対する表示部１１０のチルト角度を変更するものである。
【００２７】
この表示部駆動装置１１２は、例えば本体１２０内に配置された図示されないモータと、図２（ａ），（ｂ）に示すように、当該モータにより駆動する駆動リンク１１２ａと、駆動リンク１１２ａの動作によって動く従動リンク１１２ｂとにより構成されるチルト機構であり、表示部１１０は両リンク１１２ａ，１１２ｂにより、本体１２０に対して可動可能に連結されている。尚、図２（ａ）においては、便宜上、表示部駆動装置１１２を構成する両リンク１１２ａ，１１２ｂの一部を破線で示している。
【００２８】
尚、ディスク挿入口を選択的にディスク挿入可能状態とする機構としては、特開１１−２５０６４２号公報にて開示されたシャッターを備えたディスク再生装置がある。この機構を表示装置（車両用ナビゲーション装置１００）に適用し、シャッターに対して表示部１１０を代用した場合、表示部１１０を本体１２０の前面に対して平行状態を保ったまま上下に移動させ、ディスク挿入口１０６ａ，１０７ａを段階的にディスク挿入可能状態とする必要がある。この場合、表示部１１０の移動範囲が広くなるので、車両用ナビゲーション装置１００の設置スペースの確保及び配線等が困難となる。しかしながら、本実施形態においては、公知のチルト機構を利用して、表示部１１０により複数のディスク挿入口１０６ａ，１０７ａを段階的にディスク挿入可能状態とする構成としている。
【００２９】
また、本実施形態における車両ナビゲーション装置１００は、各種の設定や機能の実行を支持する端末として操作ＳＷ群１１３を有している。操作ＳＷ群１１３としては、表示部１１０と一体に構成され、表示画面上に設定されるタッチＳＷもしくは表示部１１０の周辺部に設けられたキーＳＷ等を適用することができる。尚、操作ＳＷ群１１３のうちのひとつとして、本体１２の前面に対する表示部１１０の角度変化を操作するチルト角変更ＳＷ１１３ａが設けられている。
【００３０】
また、操作ＳＷ群１１３に代えて、リモコンセンサ及びリモコンにより車両用ナビゲーション装置１００の操作を行う構成としても良い。
【００３１】
次に、本実施形態の特徴である表示部１１０によるディスクの誤挿入防止について、図３及び図４を用いて説明する。図３は、本体１２０の前面に対する表示部１１０の角度変更を説明するためのフローである。図４は、表示部１１０の角度変更により、本体１２０の前面に対して表示部１１０がとりうる角度状態を説明するための断面図であり、（ａ）は閉状態、（ｂ）はＣＤ挿入口１０７ａのみがディスク挿入可能である状態、（ｃ）は開状態を示す図である。
【００３２】
先ず車両用ナビゲーション装置１００の電源がＯＮされた状態で、チルト角変更ＳＷ１１３ａがＯＮ（Ｓ２１０）されると、ＯＮ信号が制御部としての制御回路１０８に伝達される。このとき、制御回路１０８は当該ＯＮ時間が予め設定された所定時間以下か、それよりも長いかを判定する（Ｓ２２０）。尚、本実施形態において、車両用ナビゲーション装置１００の電源がＯＦＦとなると、表示部１１０は自動的に本体１２０の前面に対して平行に配置され、複数のディスク挿入口１０６ａ，１０７ａを全て遮蔽する閉状態（図４（ａ）に示す状態）となるものとする。従って、図３に示すＳＴＡＲＴ時には、表示部１１０は常に閉状態となっている。
【００３３】
チルト角変更ＳＷ１１３ａのＯＮ時間が所定時間以下の場合、制御回路１０８は表示部駆動装置１１２に駆動信号を伝達して所定の動作をさせ、表示部１１０の上面が下方向に所定量移動し、表示部１１０の下面が本体１２０の前面に対して前方に所定量移動する。これにより、図４（ｂ）に示すように、表示部１１０は本体１２０の前面に対して所定の角度をなすこととなり、本体１２０の前面に設けられている複数のディスク挿入口１０６ａ，１０７ａのうち、一方のディスク挿入口１０７ａのみがディスク挿入可能状態となる（Ｓ２３０）。従って、ディスクの誤挿入を防止することができる。
【００３４】
尚、本実施形態においては、複数のディスク挿入口１０６ａ，１０７ａが地図ディスク挿入口であるＤＶＤ挿入口１０６ａと音楽ディスク挿入口であるＣＤ挿入口１０７ａから構成されている。そして、地図ディスクよりも音楽ディスクの方がディスクの交換頻度が高いので、ＣＤ挿入口１０７ａをディスク交換頻度のもっとも高いディスク挿入口とし、表示部１１０を閉状態から開状態に変化させる際、ＣＤ挿入口１０７ａからディスク挿入可能状態となるように、本体１２０の前面に複数のディスク挿入口１０６ａ，１０７ａを設けている。
【００３５】
従って、複数のディスク挿入口１０６ａ，１０７ａを、ディスク交換頻度の高いディスク挿入口から段階的にディスク挿入可能状態とすることができる。このようにディスク挿入口１０６ａ，１０７ａが設けられると、ディスクの誤挿入防止に効果的である。しかしながら、ディスク挿入口１０６ａ，１０７ａの配列は本実施形態の示す例に限定されるものではない。
【００３６】
また、複数のディスク挿入口１０６ａ，１０７ａのうち、ディスク交換頻度のもっとも高いＣＤ挿入口１０７ａのみをディスク挿入可能状態とすることが可能な構成であるので、ディスクの誤挿入防止により効果的である。
【００３７】
Ｓ２３０にてＣＤ挿入口１０７ａにＣＤ１０７ｂを挿入、ＣＤ挿入口１０７ａからＣＤ１０７ｂを排出、もしくは、ＣＤ挿入口１０７ａからＣＤ１０７ｂを排出して新たにＣＤ１０７ｂを挿入した後、再度チルト角変更ＳＷ１１３ａをＯＮすると（Ｓ２４０）、当該信号を受けた制御回路１０８は、表示部駆動装置１１２に所定の動作をさせ、表示部１１０は本体１２０の前面に対して予め設定された所定角度（本実施形態においては略垂直）となる。これにより、図４（ｃ）に示すように、本体１２０の前面に設けられている複数のディスク挿入口１０６ａ，１０７ａが全てディスク挿入可能である開状態となる（Ｓ２５０）。そして、ＤＶＤ挿入口１０６ａにＤＶＤ１０６ｂを挿入、ＤＶＤ挿入口１０６ａからＤＶＤ１０７６ｂを排出、もしくは、ＤＶＤ挿入口１０６ａからＤＶＤ１０６ｂを排出して新たにＤＶＤ１０６ｂを挿入する。尚、Ｓ２４０にてチルト角変更ＳＷ１１３ａがＯＮされない場合、車両用ナビゲーション装置１００の電源がＯＦＦしない限り、表示部１１０はＳ２３０に示すＣＤ挿入口１０７ａのみディスク挿入可能な状態を保ち続ける。
【００３８】
尚、本実施形態に示すように、通常地図データ入力器１０６を構成するＤＶＤドライバ（図示せず）に挿入されるＤＶＤ１０６ｂは、ほとんどディスクの交換がなされることはないが、ＣＤ１０６ｂに挿入（Ｓ２３０）を行ったあとで、ＤＶＤの挿入を行えば、図４（ｃ）に示すように、全てのディスク挿入口１０６ａ，１０７ａがディスク挿入可能状態であっても、ディスクの誤挿入を低減できる。また、表示部１１０の開状態においては、ＣＤ挿入口１０７ａもディスク挿入可能状態となるので、ＣＤ１０７ｂを入れ替えすることも可能である。
【００３９】
Ｓ２５０の後、再度チルト角変更ＳＷ１１３ａをＯＮすると（Ｓ２６０）、当該信号を受けた制御回路１０８は、表示部駆動装置１１２に所定の動作をさせ、表示部１１０は本体１２０の前面に対して平行に配置され、図４（ａ）に示すように、複数のディスク挿入口１０６ａ，１０７ａを全て遮蔽する閉状態となる（Ｓ２７０）。尚、Ｓ２６０にてチルト角変更ＳＷ１１３ａがＯＮされない場合、車両用ナビゲーション装置１００の電源がＯＦＦしない限り、表示部１１０はＳ２５０に示す開状態を保ち続ける。
【００４０】
また、Ｓ２２０にて、チルト角変更ＳＷ１１３ａのＯＮ時間が所定時間よりも長いと、Ｓ２３０の状態を経ず、表示部１１０は閉状態から直接開状態となる（Ｓ２８０）。そして、ＤＶＤ挿入口１０６ａにＤＶＤ１０６ｂを挿入、ＤＶＤ挿入口１０６ａからＤＶＤ１０７６ｂを排出、もしくは、ＤＶＤ挿入口１０６ａからＤＶＤ１０６ｂを排出して新たにＤＶＤ１０６ｂを挿入した後、再度チルト角変更ＳＷ１１３ａをＯＮすると（Ｓ２９０）、当該信号を受けた制御回路１０８は、表示部駆動装置１１２に所定の動作をさせる。そして、表示部１１０は本体１２０の前面に対して平行に配置され、図４（ａ）に示すように、複数のディスク挿入口１０６ａ，１０７ａを全て遮蔽する閉状態となる（Ｓ２７０）。尚、Ｓ２９０にてチルト角変更ＳＷ１１３ａがＯＮされない場合、車両用ナビゲーション装置１００の電源がＯＦＦしない限り、表示部１１０はＳ２８０に示す開状態を保ち続ける。
【００４１】
このように、本実施形態における車両用ナビゲーション装置１００は、本体１２０に設けられた制御部としての制御回路１０８によって、本体１２０の前面に対する表示部１１０のチルト角度を変化させる表示部駆動装置１１２の動作を制御し、本体１２０の前面に対する表示部１１０の角度状態を、閉状態と開状態との間で、複数のディスク挿入口１０６ａ，１０７ａが段階的にディスク挿入可能状態となるように変化可能な構成としている。従って、複数のディスク挿入口１０６ａ，１０７ａの内、表示部１１０によって一部のディスク挿入口１０７ａのみをディスク挿入可能状態とすることができるので、ディスクの誤挿入を防止することができる。尚、図３に示したフローにおいて、Ｓ２７０が実行された後、Ｓ２１０に戻り、再度チルト角変更ＳＷ１１３ａがＯＮされると、上述した各ステップＳ２１０〜Ｓ２９０が繰り返し実行される。
【００４２】
尚、上記各ステップのうち、Ｓ２５０及びＳ２６０が省略され、Ｓ２４０にてチルト角変更ＳＷ１１３ａがＯＮされた際、表示部１１０はＳ２７０に示す閉状態となる構成であっても良い。この構成の場合、ＣＤ１０７ｂの交換作業が簡素化される。
【００４３】
また、本実施形態において、チルト角変更ＳＷ１１３ａのＯＮ時間に基づいて、本体１２０の前面に対する表示部１１０の角度を変化させ、閉状態からＳ２３０のＣＤ挿入口１０７ａのみディスク挿入可能である状態、または、Ｓ２８０の開状態に変化させる例を示した。しかしながら、閉状態から、ＣＤ挿入口１０７ａのみディスク挿入可能である状態、または、開状態への表示部１１０の角度変更は、１つのチルト角変更ＳＷのＯＮ時間によって決定される例に限定されるものではない。例えば、チルト角変更ＳＷ１１３ａが、閉状態、ＣＤ挿入口１０７ａのみディスク挿入可能状態、および開状態に対応して３種類設けられ、各ＳＷをＯＮすることにより、本体１２０の前面に対する表示部１１０の角度を変化させる構成としても良い。
【００４４】
以上本発明の好ましい実施形態について説明したが、本発明は上述の実施形態のみに限定されず、種々変更して実施する事ができる。
【００４５】
本実施形態においては、表示装置として車両用ナビゲーション装置の例を示した。しかしながら、表示装置は上記例に限定されるものではない。それ以外にも、表示部駆動装置１１２（チルト機構）により表示部１１０が本体１２０の前面に対して角度変化可能な表示装置（例えば車両の後部座席用の映像・音声再生装置）であれば本実施形態に示した構成を適用することができる。
【００４６】
また、本実施形態において、本体１２０の前面に設けられる複数のディスク挿入口が、地図データ入力器１０６のＤＶＤ挿入口１０６ａと、音楽データ入力器１０７のＣＤ挿入口１０７ａとの２つのディスク挿入口から構成される例を示した。しかしながら、本体１２０の前面に設けられるディスク挿入口は上記構成に限定されるものではない。
【００４７】
例えば、音楽データ入力器への挿入口としてＭＤ挿入口とＣＤ挿入口を備える構成であっても良いし、さらに当該構成に、地図データ入力器への挿入口としてＤＶＤ挿入口を備える構成であっても良い。また、ＤＶＤ挿入口を２つ（例えば一方が地図データ入力器への挿入口、他方が音楽データ入力器への挿入口）備える構成であっても良い。
【００４８】
また、本体１２０の前面に３つ以上のディスク挿入口が設けられた構成の場合、本体１２０の前面に対する表示部１１０の角度状態は、表示部１１０により複数のディスク挿入口が段階的にディスク挿入可能状態となるのであれば、特に限定されるものではない。
【００４９】
例えば、本体１２０の前面に３つのディスク挿入口が設けられた構成の場合、表示部１１０は、全てのディスク挿入口が遮蔽された閉状態と、１つのディスク挿入口のみがディスク挿入可能である状態と、２つのディスク挿入口がディスク挿入可能である状態と、全てのディスク挿入口がディスク挿入可能である開状態との４つの角度状態をとることが可能である。それ以外にも、上述した表示部１１０の状態において、１つのディスク挿入口のみがディスク挿入可能である状態と、２つのディスク挿入口がディスク挿入可能である状態とのいずれかを省いた３つの角度状態であっても良い。要するに、複数のディスク挿入口を有する表示装置において、全てのディスク挿入口が遮蔽された閉状態と、全てのディスク挿入口がディスク挿入可能である開状態以外に、少なくとも１つの角度状態として、複数のディスク挿入口の一部のみがディスク挿入可能である状態を、本体１２０の前面に対して表示部１１０がとれば良い。
【００５０】
尚、本体１２０の前面に３つ以上のディスク挿入口が設けられる場合、ディクス挿入口の配列は特に限定されるものではない。しかしながら、本実施形態で示したように、表示部１１０を閉状態から開状態に変化させる際に、ディスク交換頻度の高いディスク挿入口からディスク挿入可能な状態となるように、複数のディスク挿入口が配置されることが好ましい。この場合、ディスク交換頻度の高いディスク挿入口から段階的にディスク挿入可能状態とすることができるのでディスクの誤挿入防止に効果的である。さらに、複数のディスク挿入口のうち、ディスク交換頻度のもっとも高いディスク挿入口のみをディスク挿入可能とする状態を、本体１２０の前面に対して表示部１１０がとることができると、ディスクの誤挿入防止により効果的である。
【００５１】
また、本実施形態において、表示部１１０は、当該表示部１１０の上面が下方向に移動し、下面が本体１２０の前面に対して前方向に垂直に移動することにより、閉状態から開状態に変化する例を示した。しかしながら、本体１２０の前面に対する表示部１１０の角度変化の経路は上記例に限定されるものではない。例えば、図５に示すように、表示部１１０の下面側を支点として、上面側が円弧上を移動する構成であっても良い。この場合も、表示部１１０は、複数のディスク挿入口（図５においては本実施形態同様、ＤＶＤ挿入口１０６ａとＣＤ挿入口１０７ａ）を遮蔽した閉状態と、一方のディスク挿入口１０７ａのみがディスク挿入可能な状態と、全てのディスク挿入口１０６ａ，１０７ａがディスク挿入可能な開状態との３つの角度状態を、本体１２０の前面に対して取ることができる。尚、図５は本実施形態の変形例を示す側面図である。図５においては、便宜上、ディスク挿入口１０６ａ，１０７ａを図示している。また、ＣＤ挿入口１０７ａのみディスク挿入可能である状態と、開状態との角度状態における表示部１１０をそれぞれ破線で示している。
【図面の簡単な説明】
【００５２】
【図１】本発明の第１の実施形態における車両用ナビゲーション装置の概略構成を示すブロック図である。
【図２】車両用ナビゲーション装置の概略構成を示す図であり、（ａ）は斜視図、（ｂ）は側面図である。
【図３】本体の前面に対する表示部の角度変更を説明するためのフローである。
【図４】表示部の角度変更により、本体の前面に対して表示部がとりうる角度状態を説明するための断面図であり、（ａ）は閉状態、（ｂ）はＣＤ挿入口のみがディスク挿入可能である状態、（ｃ）は開状態を示す図である。
【図５】本実施形態の変形例を示す側面図である。
【符号の説明】
【００５３】
１００・・・車両用ナビゲーション装置（表示装置）
１０６・・・地図データ入力器
１０６ａ・・・ＤＶＤ挿入口
１０６ｂ・・・ＤＶＤ
１０７・・・音楽データ入力器
１０７ａ・・・ＣＤ挿入口
１０７ｂ・・・ＣＤ
１０８・・・制御回路（制御部）
１１０・・・表示部
１１２・・・表示部駆動装置（チルト機構）
１１３・・・操作ＳＷ群
１１３ａ・・・チルト角変更ＳＷ
１２０・・・本体
【図１】
2005259234.tif 000003
【図２】
2005259234.tif 000004
【図３】
2005259234.tif 000005
【図４】
2005259234.tif 000006
【図５】
2005259234.tif 000007